(57)【要約】【課題】インキ貯留部より筆記端が上方での筆記（所謂上向き筆記）においても実用上十分な筆記距離を有する直液式インキ筆記具を提供する。【構成】インキを貯留するインキ貯留部と、筆記端、及びインキ貯留部と筆記端との間に設けられインキのインキ貯留部から筆記端への流出を制御するインキ流出制御筒より構成される直液式低粘性インキ筆記具において、インキ流出制御筒が中心部軸線方向の筆記端側から筆記端取り付け部、インキ誘導芯挿入部、インキ吸蔵体より構成されることを特徴とする直液式低粘性インキ筆記具。【選択図】　　　　　　図５
2004098318.tif 000002
【特許請求の範囲】
【請求項１】
インキを貯留するインキ貯留部と、筆記端、及びインキ貯留部と筆記端との間に設けられインキのインキ貯留部から筆記端への流出を制御するインキ流出制御筒より構成される直液式低粘性インキ筆記具において、インキ流出制御筒が中心部軸線方向の筆記端側から筆記端取り付け部、インキ誘導芯、インキ吸蔵体より構成されることを特徴とする直液式低粘性インキ筆記具。
【発明の詳細な説明】
【０００１】
【発明の属する技術分野】
本発明はインキを直接インキ貯留部に貯留する方式の水性ボールペン、蛍光ペン、水性マーカー、油性マーカー、ホワイトボードマーカーなどの筆記具に関する。
【０００２】
【従来の技術】
従来、低粘度インキを使用している筆記具には、インキを中綿などに貯留し、筆記端へ供給する中綿式筆記具や、インキを貯留するインキ貯留部と、筆記端、及びインキ貯留部と筆記端との間に設けられインキのインキ貯留部から筆記端への流出を制御するインキ流出制御筒より構成される直液式低粘性インキ筆記具が知られている。
【０００３】
以下図により説明すると、図１は直液式低粘性インキ筆記具の例であり、図２は図２のＡ−Ａ’断面図を示す。
【０００４】
図１は筆記端１にフェルト芯を用いたマーカーであり、インキ流出制御筒７内にインキ誘導芯２が挿入されている。流出制御筒７の外周面には狭幅深底のフィン３が多数設けられ、また狭幅深底のフィン３に直交するように狭幅深底の空気交換溝４が設けられている。さらに６はインキ貯留部でありインキ５を貯留している。筆記時、インキ貯留部６に貯留されたインキ５はインキ誘導芯２によって筆記端１に供給される。このときインキの消費によって負圧となったインキ貯留部５には、空気交換溝４から空気が供給される。また静置時においては、空気交換溝４にインキ５が満たされることによりインキ貯留部６に空気が侵入することがないため、インキ漏れを起こさない。また、筆記によりインキ貯留部６内のインキ５が消費され、空気が増加してきた場合、温度変化や気圧の変化によりインキ貯留部５内部の空気が膨張、収縮する場合がある。空気が膨張した場合にはインキ貯留部６内部のインキ５は空気交換溝４より流出し、フィン３部に貯留される。このためペン体外部に流出することはない。また、膨張した空気が収縮することによりインキ貯留部６内部の空気が収縮した場合フィン３に貯留されたインキは空気交換溝４を通りインキ貯留部６に戻される。
【０００５】
このような構成を持つ直液式低粘性インキ筆記具は中綿式に比べ、インキの供給量が最後まで一定であることや、インキの残量確認が容易であることから近年急速に普及している。しかしながら、筆記端１がインキ貯留部６より上方での筆記の場合（所謂上向き筆記）、インキ誘導芯２とインキ貯留部６内部のインキ５が接触できなくなることにより、インキ貯留部６内のインキが筆記端１に供給されない。この状態だと、筆記に使用できるインキは、筆記端１及びインキ誘導芯３内部のインキだけとなり、数ｍ程度しか筆記することができなかった。
【０００６】
このような課題に対し、実開平５−２９９０では、インキ流出制御筒のインキ貯留部側にインキ流出制御筒に挿入されているインキ誘導芯に連通するインキ誘導芯の毛細管力より劣る毛細管力を有するインキ吸蔵体を設ける発明がなされている。
【０００７】
以下図３により説明する。図４は図３のＡ−Ａ’断面図を示す。図３は筆記端１にフェルト芯を用いたマーカーであり、インキ流出制御筒７内にインキ誘導芯２が挿入されている。流出制御筒７の外周面には狭幅深底のフィン３が多数設けられ、また狭幅深底のフィン３に直交するように狭幅深底の空気交換溝４が設けられている。またインキ流出制御筒７とインキ５を貯留するインキ貯留部６との間にインキ吸蔵部８が設けられている。筆記時、インキ貯留部６に貯留されたインキ５はインキ吸蔵部８、及びインキ誘導芯２によって筆記端１に供給される。またインキ吸蔵部８があるため筆記端１がインキ貯留部６より上方にある場合での筆記（所謂上向き筆記）においても図１の例に比べインキ吸蔵部８に吸蔵された分だけ長く筆記できる。このときインキの消費によって負圧となったインキ貯留部５には、空気交換溝４から空気が供給される。また静置時においては、空気交換溝４にインキ５が満たされることによりインキ貯留部６に空気が侵入することがないため、インキ漏れを起こさない。しかし、筆記によりインキ貯留部６内のインキ５が消費され、空気が増加してきた場合、温度変化や気圧の変化によりインキ貯留部５内部の空気が膨張、収縮する場合がある。
【０００８】
空気が膨張した場合にはインキ貯留部６内部のインキ５はインキ吸蔵体８、空気交換孔４を通りフィン３に貯留されるが、同時にインキ吸蔵体８の抵抗があるためにインキ誘導芯２と空気交換孔４とインキの流動抵抗の差が少なくなってしまいインキは誘導芯２を通り筆記端１から流出する場合があった。
【０００９】
【発明が解決しようとする課題】
本発明は、筆記端を上方に向けた状態での筆記においても筆記可能距離を大幅に増やし、かつインキもれ性能に優れた直液式筆記具を提供することを目的とする。
【００１０】
【課題を解決するための手段】
筆記端をインキ貯留部より上方で筆記した場合の筆記距離の増大、また、インキ貯留部に空気が多く存在する条件での、温度変化、気圧変化による空気の膨張、収縮時のインキの筆記端からも漏れを解決するため、本考案のインキ流出制御筒は、中心部軸線方向の筆記端側から筆記端取り付け部、インキ誘導芯、インキ吸蔵体で構成される。すなわち、インキ貯留部に貯留されているインキは、筆記端がインキ貯留部より下方または水平に置かれたときにインキ吸蔵体に吸蔵され、筆記端をインキ貯留部より上方で筆記した場合の筆記距離の増大に寄与することとなる。またインキ流出制御筒の内部にインキ吸蔵部が設けられているためインキ貯留部側に設けられている空気交換溝の開口部はインキ吸蔵体に妨げられることなく機能することができる。
【００１１】
【発明の実施の形態】
本発明の直液式筆記具では、インキ流出制御筒が、中心部軸線方向の筆記端側から筆記端取り付け部、インキ誘導芯挿入部、インキ吸蔵体より構成されることにより、筆記端がインキ貯留部より上方にある場合の筆記でも筆記端、インキ誘導芯中のインキのほかにインキ吸蔵部のインキを筆記端に供給できるため、筆記距離を大幅に長くすることが可能となるとともに、インキ流出制御筒のインキ貯留部側に設けられている空気交換溝の開口部は、インキ吸蔵体にふさがれることがないためインキの漏れも防ぐことができる。
【００１２】
【実施例】
以下本発明の実施例を図により説明する。図５は本発明の実施例であり図６は図５のＡ−Ａ’断面図を示す。
【００１３】
図５は筆記端１にフェルト芯を用いたマーカーであり、インキ流出制御筒７内にインキ誘導芯２が挿入され、さらにインキ誘導芯２に連通してインキ吸蔵部８が設けられている。流出制御筒７の外周面には狭幅深底のフィン３が多数設けられ、また狭幅深底のフィン３に直交するように狭幅深底の空気交換溝４が設けられている。
【００１４】
さらに６はインキ貯留部でありインキ５を貯留している。筆記時、インキ貯留部６に貯留されたインキ５はインキ吸蔵部８及びインキ誘導芯２によって筆記端１に供給される。このときインキの消費によって負圧となったインキ貯留部５には、空気交換溝４から空気が供給される。
【００１５】
また、静置時においては、空気交換溝４にインキ５が満たされることによりインキ貯留部６に空気が侵入することがないため、インキ漏れを起こさない。
【００１６】
また、筆記によりインキ貯留部６内のインキ５が消費され、空気が入ってきた場合、温度変化や気圧の変化によりインキ貯留部５内部の空気が膨張、収縮する場合がある。
【００１７】
空気が膨張した場合にはインキ貯留部６内部のインキ５は空気交換溝４より流出し、フィン３部に貯留される。このためペン体外部に流出することはない。
【００１８】
また、膨張した空気が収縮することによりインキ貯留部６内部の空気が収縮した場合フィン３に貯留されたインキは空気交換溝４を通りインキ貯留部６に戻される。
【００１９】
また、筆記端１がインキ貯留部６より上方での筆記の場合、インキ流出制御筒７のインキ貯留部側に設けられているインキ吸蔵体８とインキ５は接触しなくなるが、この状態でインキ吸蔵体８、インキ誘導芯２、筆記端１にあるインキを筆記に使用できるため実用上問題なく筆記することができる。
【００２０】
【発明の効果】
以上実施例のごとく本発明によれば、筆記端がインキ貯留部より上方での筆記においても実用上十分なインキを筆記端に供給することができるとともにインキ貯留部内の空気の膨張、収縮に対しても。インキのペン体外への流出を防ぐことができる。
【図面の簡単な説明】
【図１】従来公知の液体式低粘性インキ筆記具における縦断面図である。
【図２】図１のＡ−Ａ’線断面図である。
【図３】従来公知の別の液体式低粘性インキ筆記具における縦断面図である。
【図４】図３のＡ−Ａ’線断面図である。
【図５】本発明における直液式低粘性インキ筆記具における縦断面図である。
【図６】図５のＡ−Ａ’線断面図である。
【符号の説明】
１　筆記端
２　インキ誘導芯
３　狭幅深底のフィン
４　空気交換溝
５　インキ
６　インキ貯留部
７　インキ流出制御筒
８　インキ吸蔵部
【図１】
2004098318.tif 000003
【図２】
2004098318.tif 000004
【図３】
2004098318.tif 000005
【図４】
2004098318.tif 000006
【図５】
2004098318.tif 000007
【図６】
2004098318.tif 000008